(57)【要約】  【課題】  物置台部材の使用面積を十分に確保でき、またその不使用時には座席スペースでの占有スペースの減少を図れて座席スペースの有効利用を図れるアームレストを提供する。  【解決手段】  座席Ｓの側部に配置されたアームレスト本体２の先端側に、広幅面３ａと狭幅面３ｂとを有する形に形成された物置台部材３がアームレスト本体長手方向に沿うシャフト６まわりに広幅面３ａを上向きにする状態（二点鎖線で示す状態図）と、広幅面３ａを側方に向ける状態（実線で示す状態図）との間で回転可能に設けられている。【選択図】      図１
2007044137.tif 000002
【特許請求の範囲】
【請求項１】
座席の側部に配置されたアームレスト本体の先端側に、広幅面と狭幅面とを有する形に形成された物置台部材が前記アームレスト本体の長手方向に沿うシャフトまわりに広幅面を上向きにする状態と、広幅面を側方に向ける状態との間で回転可能に設けられていることを特徴とする、アームレスト。
【請求項２】
座席の側部に配置されて広幅面と狭幅面とを有する形に形成されたアームレスト本体と、該アームレスト本体の先端側に取り付けられて広幅面と狭幅面とを有する形に形成された物置台部材とを備え、前記アームレスト本体および物置台部材がそれぞれ前記アームレスト本体の長手方向に沿うシャフトまわりに広幅面を上向きにする状態と、広幅面を側方に向ける状態との間で回転可能に設けられていることを特徴とする、アームレスト。
【請求項３】
座席の側部に配置されて広幅面と狭幅面とを有する形に形成されたアームレスト本体が該アームレスト本体の長手方向に沿うシャフトまわりに広幅面を上向きにする状態と、広幅面を側方に向ける状態との間で回転可能に設けられていることを特徴とする、アームレスト。
【請求項４】
前記アームレスト本体の先端側に物置台部材が一体に設けられている、請求項３記載のアームレスト。
【請求項５】
前記アームレスト本体が座席の側部後方にほぼ垂直姿勢となる収納状態と座席の側部にほぼ水平姿勢となる使用状態との間で回転可能に設置されている、請求項１ないし４のいずれか１項に記載のアームレスト。
【発明の詳細な説明】
【技術分野】
【０００１】
本発明は、車両や椅子などの座席に取り付けられるアームレストに関する。
【背景技術】
【０００２】
この種のアームレストとして、例えば、自動車の座席の側部にアームレスト本体を座席の側部後方にほぼ垂直姿勢となる収納状態と、座席の側部にほぼ水平姿勢となる使用状態との間で回転可能に設置し、アームレスト本体の先端部に、カップホルダー等に使用可能な収納ボックスを組み込んだものがある（例えば、特許文献１参照。）。
【０００３】
【特許文献１】特開平７−２１３３７８号公報
【発明の開示】
【発明が解決しようとする課題】
【０００４】
しかるに、上記のような構成のアームレストでは、アームレスト本体の使用状態で上向きになる肘掛け面、収納ボックスの使用状態で上向きになる物載置面は、いずれも、一定の面積に形成されている。そのため、アームレスト本体の肘掛け面を、たとえば、隣り合って座る者と共同して使用するために広幅に形成するとなると、座席スペースが狭くなる。また、収納ボックスの物載置面を、たとえば、径大のカップを載置可能にするために広幅に形成すると、これ又、座席スペースが狭くなるという問題があった。
【０００５】
本発明の目的は、このような問題を解決するためになされたもので、アームレスト本体や物置台部材の使用面積を十分に確保でき、またそれらの不使用時には座席スペースでの占有スペースの減少を図れて座席スペースの有効利用を図れるアームレストを提供することにある。
【課題を解決するための手段】
【０００６】
本発明の請求項１に係る発明のアームレストは、座席の側部に配置されたアームレスト本体の先端側に、広幅面と狭幅面とを有する形に形成された物置台部材が前記アームレスト本体の長手方向に沿うシャフトまわりに広幅面を上向きにする状態と、広幅面を側方に向ける状態との間で回転可能に設けられていることに特徴を有するものである。
【０００７】
請求項２に係る発明のアームレストは、座席の側部に配置されて広幅面と狭幅面とを有する形に形成されたアームレスト本体と、該アームレスト本体の先端側に取り付けられて広幅面と狭幅面とを有する形に形成された物置台部材とを備え、前記アームレスト本体および物置台部材がそれぞれ前記アームレスト本体の長手方向に沿うシャフトまわりに広幅面を上向きにする状態と、広幅面を側方に向ける状態との間で回転可能に設けられていることに特徴を有するものである。
【０００８】
請求項３に係る発明のアームレストは、座席の側部に配置されて広幅面と狭幅面とを有する形に形成されたアームレスト本体が該アームレスト本体の長手方向に沿うシャフトまわりに広幅面を上向きにする状態と、広幅面を側方に向ける状態との間で回転可能に設けられていることに特徴を有するものである。
この場合において、請求項４に記載の発明のように、前記アームレスト本体の先端側に物置台部材を一体に設けることができる。
【０００９】
請求項５に係る発明のアームレストは、請求項１ないし４のいずれかに記載のアームレストにおいて、前記アームレスト本体が座席の側部後方にほぼ垂直姿勢となる収納状態と座席の側部にほぼ水平姿勢となる使用状態との間で回転可能に設置されたものとすることができる。
【発明の効果】
【００１０】
請求項１記載の発明によれば、広幅面と狭幅面とを有する形に形成された物置台部材がアームレスト本体の長手方向に沿うシャフトまわりに広幅面を上向きにする状態と、広幅面を側方に向ける状態との間で回転可能に設けられているので、物置台部材は使用時には広幅面が上向きになるように回転させることで、その広幅面をカップ、ドリンク缶立てや灰皿、あるいは小物置き等に広く使用することができ、特に径大のカップをも立てることができ、不使用時には広幅面が側方に向くように回転させることで狭い座席スペース内にもコンパクトに納めることができる。
【００１１】
請求項２記載の発明によれば、アームレスト本体および物置台部材がそれぞれアームレスト本体の長手方向に沿うシャフトまわりに広幅面を上向きにする状態と、広幅面を側方に向ける状態との間で回転可能に設けられているので、アームレスト本体又は物置台部材は使用時にはそれぞれの広幅面が上向きになるように回転させることで、アームレスト本体の広幅面は隣り合って座る者と共同して肘掛けに使用することができ、物置台部材の広幅面はカップ立てや灰皿、あるいは小物置き等に使用することができる。そして、アームレスト本体又は物置台部材の不使用時にはそれぞれの広幅面が側方に向くように回転させることで狭い座席スペース内にもコンパクトに納めることができる。
【００１２】
請求項３、４記載の発明によれば、座席の側部に配置されて広幅面と狭幅面とを有する形に形成されたアームレスト本体が該アームレスト本体の長手方向に沿うシャフトまわりに広幅面を上向きにする状態と、広幅面を側方に向ける状態との間で回転可能に設けられているので、アームレスト本体は使用時には広幅面が上向きになるように回転させることで、その広幅面を隣り合って座る者と共同して肘掛けに使用することができ、不使用時には広幅面が側方に向くように回転させることで狭い座席スペース内にもコンパクトに納めることができる。
【００１３】
請求項５記載の発明によれば、アームレスト本体が座席の側部後方にほぼ垂直姿勢となる収納状態と座席の側部にほぼ水平姿勢となる使用状態との間で回転可能に設置されているので、アームレストの不使用時には該アームレスト本体を座席の側部後方にほぼ垂直姿勢となるように収納することにより座席スペースを座席にフルに使用できる。
【発明を実施するための最良の形態】
【００１４】
本発明の好適な実施形態を図面に基づき説明する。図１は本発明の一実施例を示すアームレストの斜視図、図２は同アームレストの物置台部材の使用状態を示す斜視図、図３は同アームレストのアームレスト本体と物置台部材を接続するシャフト部分の断面図、図４は同アームレストのシャフト部分の分解斜視図、図５は同アームレストのアームレスト本体と背凭れ部を接続するシャフト部分の断面図である。
【００１５】
図１、図２において、アームレスト１は座席Ｓの側部に配置されたアームレスト本体２と、このアームレスト本体２の先端部２ｃに取り付けられた物置台部材３とを備える。アームレスト本体２はその基端部２ｄを座席Ｓの背凭れ部Ｂの側面に、アームレスト本体２の長手方向と直交するシャフト５まわりに座席Ｓの側部後方にほぼ垂直姿勢となる収納状態（図１の二点鎖線で示す状態図参照）と座席Ｓの側部にほぼ水平姿勢となる使用状態（図１の実線で示す状態図参照）との間で前後方向に回転可能に設置されている。
【００１６】
一方、物置台部材３は相対向する広幅面３ａ，３ａと、この広幅面３ａ，３ａと隣接して相対向する狭幅面３ｂ，３ｂとを有する断面長方形や断面楕円形状など（図示例では断面長方形状）に形成される。そして、物置台部材３は、これの基端部３ｃとアームレスト本体２の先端部２ｃとを突き合せ、且つその突き合せ面間にアームレスト本体２の長手方向に沿うよう組み込まれたシャフト６まわりに広幅面３ａ，３ａを上下向きに、狭幅面３ｂ，３ｂを側方に向ける状態（図１に二点鎖線で示す状態図、図２参照）と、広幅面３ａ，３ａを側方に向け、狭幅面３ｂ，３ｂを上下向きにする状態（図１の実線で示す状態図参照）との間で回転可能に設けている。物置台部材３の広幅面３ａは、図示例ではカップや飲料缶などを立てられる凹部４を設けてカップホルダに使用できるようにしてなるが、そのほかに、蓋付き灰皿を備えたり、あるいは小物置き等に使用できるように構成したりすることもできる。
【００１７】
シャフト６は、図３、図４に示すように、円周一部に平坦面７ａが形成された取付部７と、この取付部７の一端にフランジ部８を介して一体に突出されかつ円周対向部に平坦面９ａ，９ａが形成された小径軸部９と、この小径軸部９の先端に設けられた雄ねじ１０とからなる。
【００１８】
そして、図３に示すように、シャフト６は取付部７をアームレスト本体２の先端部２ｃに該アームレスト本体２の長手方向に沿うよう挿入され、止めねじ１１で固定される。シャフト６の小径軸部９はアームレスト本体２の先端部２ｃから突出され、物置台部材３の基端部３ｃの端面に止めねじ１２で固定された軸受プレート１３の軸受孔１４に挿通される。シャフト６の小径軸部９にはフリクション機構１５を備えるチルトヒンジとしてなり、物置台部材３をシャフト６まわりに回転させると、軸受プレート１３が共に回転し、その際にフリクション機構１５により生じる摩擦力によって、物置台部材３を任意の回転角度で停止保持することができるようになっている。
【００１９】
フリクション機構１５は、図３、図４に示すように、シャフト６の小径軸部９に、その円周一部に係止爪１６ａを有する回転角規制座金１６と座金１７を回り止め状に挿通し、その座金１７と軸受プレート１３の一側面との間にステンレス鋼や燐青銅等の機械的強度及び耐摩耗性に優れる材料からなる第１フリクション座金１８をその中心部に設けた挿通孔１８ａを小径軸部９に挿通させることで配置させている。回転角規制座金１６の係止爪１６ａは、物置台部材３と共に軸受プレート１３が所定角度（例えば、９０度）だけ回転することにより該軸受プレート１３の円周上に設けた切欠１３ａ内の一端壁部１３ｂ又は他端壁部１３ｄに衝当係合するようになしている。これにより、物置台部材３が広幅面３ａを上下向きにする状態と、側方に向ける状態とにそれぞれ確実に停止保持できるようにしている。なお、第１フリクション座金１８にはグリス溜りとなる小孔１８ｂを設けてある。
【００２０】
そして、軸受プレート１３よりその他側面に突出する小径軸部９には、ステンレス鋼や燐青銅等の機械的強度及び耐摩耗性に優れる材料からなる第２フリクション座金１９をその中心部に設けた挿通孔１９ａを小径軸部９に挿通させるとともに、その円周一部に設けた係止爪１９ｃを軸受プレート１３に設けた係止孔１３ｃに係合させることで第２フリクション座金１９の一側面を軸受プレート１３の他側面に一体的に重合固定している。さらに、第２フリクション座金１９の他側面側には、第３フリクション座金２０をその中心部に設けた挿通孔２０ａを小径軸部９に挿通させて配置させる。第２，３フリクション座金１９，２０には、第１フリクション座金１８と同様に、それぞれにグリス溜りとなる小孔１９ｂ、２０ｂを設けてある。
【００２１】
第３フリクション座金２０から突出する小径軸部９の雄ねじ１０には皿形ばね座金２１,押さえ座金２２を介して締付ナット２３を締め付ける。この締付ナット２３の締め付けにより第１フリクション座金１８を軸受プレート１３の一側面に、第３フリクション座金２０を軸受プレート１３の他側面上の第２フリクション座金１９にそれぞれ圧接させている。
【００２２】
しかるときは、物置台部材３を軸受プレート１３と共にシャフト６まわりに回転させることによって、第１フリクション座金１８と軸受プレート１３の一側面との間、および軸受プレート１３の他側面上の第２フリクション座金１９と第３フリクション座金２０との間に摩擦力が発生し、この摩擦力によって物置台部材３を任意の回転角度で停止保持させることができる。
【００２３】
このように広幅面３ａと狭幅面３ｂを有する形に形成された物置台部材３がシャフト６まわりに広幅面３ａを上向きにする状態と、広幅面３ａを側方に向ける状態との間で回転可能に設けられていると、物置台部材３は使用時には広幅面３ａが上向きになるように回転させることで、その広幅面３ａをカップやドリンク缶等を立てるカップホルダに使用することができ、特に径大のカップをも立てることができる。広幅面３ａは、そのほかに、既述したように灰皿あるいは小物置き等に使用できるように構成することもできる。そして、物置台部材３は、不使用時には広幅面３ａが側方に向くように回転させることで狭い座席スペース内にもコンパクトに納めることができる。
【００２４】
アームレスト本体２の基端部２ｄと座席Ｓの背凭れ部Ｂの側面とを接続するシャフト５においては、図５に示すように、上記シャフト６と同様に、取付部７と、この取付部７の一端にフランジ部８を介して一体に突出されかつ円周対向部に平坦面９ａ，９ａが形成された小径軸部９と、この小径軸部９の先端に設けられた雄ねじ１０とからなる。そして、シャフト５は取付部７を背凭れ部Ｂの側面に該アームレスト本体２の長手方向と直交するよう挿入固定される。シャフト５の小径軸部９は背凭れ部Ｂの側面から突出され、アームレスト本体２の基端部２ｄの端面に止めねじ１２で固定される軸受プレート１３の軸受孔１４に挿通される。シャフト５の小径軸部９にはフリクション機構１５を備えるチルトヒンジとしてなる。アームレスト本体２がシャフト５まわりに座席Ｓの側部後方にほぼ垂直姿勢となる収納状態と座席Ｓの側部にほぼ水平姿勢となる使用状態との間で前後方向に回転させると、軸受プレート１３が共に回転し、その際にフリクション機構１５により生じる摩擦力によって、アームレスト本体２を任意の回転角度で停止保持することができるようになっている。なお、フリクション機構１５の具体的構成については、上述した図４に示すフリクション機構１５の構成と同じであるため、同一部材に同一符号を付してその説明を省略する。
【００２５】
アームレスト１の不使用時には該アームレスト本体２を座席Ｓの側部後方にほぼ垂直姿勢となるように収納することにより座席スペースを座席にフルに使用できる。
【００２６】
図６は他の実施例を示すアームレストの斜視図である。この実施例では、アームレスト１は相対向する広幅面２ａ，２ａと、この広幅面２ａ，２ａと隣接して相対向する狭幅面２ｂ，２ｂとを有する断面長方形や楕円形状など（図示例では断面長方形状）に形成されたアームレスト本体２と、同じく相対向する広幅面３ａ，３ａと、この広幅面３ａ，３ａと隣接して相対向する狭幅面３ｂ，３ｂとを有する断面長方形や楕円形状など（図示例では断面長方形状）に形成された物置台部材３とを備える。
【００２７】
アームレスト本体２は、その基端部２ｄが座席Ｓの背凭れ部Ｂの側面にアームレスト本体２の長手方向と直交するシャフト２４まわりに前後方向に回転するよう取り付けられた取付部材２５に、アームレスト本体２の長手方向に沿うシャフト２６まわりに広幅面２ａ，２ａを上下向きに、狭幅面２ｂ，２ｂを側方に向ける状態（図６（ｂ）参照）と、広幅面２ａ，２ａを側方に向け、狭幅面２ｂ，２ｂを上下向きにする状態（図６（ａ）参照）との間で回転可能に設けられている。
【００２８】
物置台部材３はアームレスト本体２の先端部２ｃに該アームレスト本体長手方向に沿うシャフト２７まわりに広幅面３ａ，３ａを上下向きに、狭幅面３ｂ，３ｂを側方に向ける状態（図６（ｂ）参照）と、広幅面３ａ，３ａを側方に向け、狭幅面３ｂ，３ｂを上下向きにする状態（図６（ａ）参照）との間で回転可能に設けられている。なお、各シャフト２４，２６，２７は上記シャフト５，６と同じようにフリクション機構１５を備えるものが使用される。
【００２９】
この実施例のアームレスト１によれば、アームレスト本体２又は物置台部材３は使用時には各広幅面２ａ，３ａが上向きになるように回転させることで、アームレスト本体２の広幅面２ａは隣り合って座る者と共同して肘掛けに使用することができ、物置台部材３の広幅面３ａはカップ立てや灰皿、あるいは小物置き等に広く使用することができる。そして、アームレスト本体２又は物置台部材３の不使用時には各広幅面２ａ，３ａが側方に向き、各狭幅面２ｂ，３ｂが上下向きになるように回転させることで狭い座席スペース内にもコンパクトに納めることができる。
また、取付部材２５がアームレスト本体２の長手方向と直交するシャフト２４まわりに前後方向に回転するよう取り付けられているので、その取付部材２５を前後方向に回転させるとアームレスト本体２は物置台部材３を連れ添って座席Ｓの側部後方にほぼ垂直姿勢となる収納状態と、座席Ｓの側部にほぼ水平姿勢となる使用状態（図６（ａ）の実線で示す状態図参照）とに切り替えることができる。
【００３０】
図７は更に他の実施例を示すアームレストの斜視図である。この実施例では、アームレスト１は相対向する広幅面２ａ，２ａと、この広幅面２ａ，２ａと隣接して相対向する狭幅面２ｂ，２ｂとを有する断面長方形や楕円形状など（図示例では断面長方形状）に形成されたアームレスト本体２を備え、物置台部材３はアームレスト本体２の先端側に一体に形成している。このアームレスト本体２は、図６に示す実施例の場合と同様に、その基端部２ｄが座席Ｓの背凭れ部Ｂの側面にアームレスト本体２の長手方向と直交するシャフト２４まわりに前後方向に回転するよう取り付けられた取付部材２５に、アームレスト本体２の長手方向に沿うシャフト２６まわりに広幅面２ａ，２ａを側方に向け、狭幅面２ｂ，２ｂを上下向きにする状態（図７の実線状態図参照）と、広幅面２ａ，２ａを上下向きに、狭幅面２ｂ，２ｂを側方に向ける状態との間で回転可能に設けられている。なお、各シャフト２４，２６は上記シャフト５，６と同じようにフリクション機構１５を備えるものが使用される。
【００３１】
この実施例のアームレスト１においても、アームレスト本体２は使用時には広幅面２ａが上向きになるように回転させることで、その広幅面２ａを隣り合って座る者と共同して肘掛けに使用することができ、不使用時には広幅面２ａが側方に向くように回転させることで狭い座席スペース内にもコンパクトに納めることができる。また、取付部材２５を前後方向に回転させることによりアームレスト本体２は物置台部材３を連れ添って座席Ｓの側部後方にほぼ垂直姿勢となる収納状態と、座席Ｓの側部にほぼ水平姿勢となる使用状態（図６（ａ）の実線で示す状態図参照）とに切り替えることができる。
【００３２】
なお、本発明のアームレストは自動車や電車の座席のみならず、その他に椅子等にも同様に適用できることは言うまでもない。
【図面の簡単な説明】
【００３３】
【図１】本発明の一実施例を示すアームレストの斜視図である。
【図２】同アームレストの物置台部材の使用状態を示す斜視図である。
【図３】同アームレストのアームレスト本体と物置台部材を接続するシャフト部分の断面図である。
【図４】同アームレストのシャフト部分の分解斜視図である。
【図５】同アームレストのアームレスト本体と背凭れ部を接続するシャフト部分の断面図である。
【図６】他の実施例を示すアームレストの斜視図であり、（ａ）はアームレスト本体と物置台部材をそれぞれの狭幅面を上向きにした状態図、（ｂ）はアームレスト本体と物置台部材をそれぞれの広幅面を上向きにした状態図である。
【図７】更に他の実施例を示すアームレストの斜視図であり、アームレスト本体と物置台部材をそれぞれの狭幅面を上向きにした状態図である。
【符号の説明】
【００３４】
Ｓ  座席
１  アームレスト
２  アームレスト本体
２ａ  アームレスト本体の広幅面
２ｂ  アームレスト本体の狭幅面
３  物置台部材
３ａ  物置台部材の広幅面
３ｂ  物置台部材の狭幅面
５，６，２６，２４，２７  シャフト
【図１】
2007044137.tif 000003
【図２】
2007044137.tif 000004
【図３】
2007044137.tif 000005
【図４】
2007044137.tif 000006
【図５】
2007044137.tif 000007
【図６】
2007044137.tif 000008
【図７】
2007044137.tif 000009